(57)【要約】【課題】地域毎にきめ細かく住民の的確な避難行動を促すことができる情報を配信することができる河川情報配信装置及び河川情報配信方法を提供することである。【解決手段】実施形態の河川情報配信装置は、観測データ受信部と、配信情報生成部と、配信部とを持つ。観測データ受信部は、各地域に設置されている観測局で得られた河川に関する観測データを受信する。配信情報生成部は、受信された前記観測データが、前記観測データを取得した前記観測局に設定されている避難を促す基準値を超過している場合に、前記基準値を超過した前記観測データの取得元の観測局が設置されている基準値超過地域を含む地域毎の避難情報を含む配信情報を生成する。配信部は、前記配信情報を配信先に配信する。【選択図】図２
2019211853.tif 000002
【特許請求の範囲】
【請求項１】
各地域に設置されている観測局で得られた河川に関する観測データを受信する観測データ受信部と、
受信された前記観測データが、前記観測データを取得した前記観測局に設定されている避難を促す基準値を超過している場合に、前記基準値を超過した前記観測データの取得元の観測局が設置されている基準値超過地域を含む地域毎の避難情報を含む配信情報を生成する配信情報生成部と、
前記配信情報を配信先に配信する配信部と、
を備える河川情報配信装置。
【請求項２】
前記配信情報生成部は、前記基準値超過地域に前記配信情報が配信されている間に、前記基準値超過地域に設置されている他の観測局が同じ基準値を超過した場合には前記配信情報を生成しない、請求項１に記載の河川情報配信装置。
【請求項３】
前記配信情報生成部は、前記基準値超過地域における水位予測を行い、上昇する見込みの水位と、前記基準値超過地域以外の地域に備えられる避難所の標高とに基づいて、推奨する避難所を選択し、選択した前記推奨する避難所の情報を含めて前記配信情報を生成する、請求項１に記載の河川情報配信装置。
【請求項４】
前記配信情報生成部は、前記基準値超過地域に設置されている全ての観測局で得られた観測データが避難解除を促す基準値を下回っている場合に、避難解除の旨を示す避難解除情報を含む配信情報を生成する、請求項１に記載の河川情報配信装置。
【請求項５】
前記配信情報生成部によって生成された前記配信情報の配信先を選択させる選択情報と、前記配信情報とを含む画面データを生成し、生成した画面データを表示部に表示させる表示制御部をさらに備え、
前記配信部は、配信指示がなされた場合に、選択された前記配信先に対して前記配信情報を配信する、請求項１に記載の河川情報配信装置。
【請求項６】
前記表示制御部は、前記配信情報の配信状態を前記地域毎に示す画面データを生成し、生成した画面データを表示部に表示させる、請求項５に記載の河川情報配信装置。
【請求項７】
各地域に設置されている観測局で得られた河川に関する観測データを受信する観測データ受信ステップと、
受信された前記観測データが、前記観測データを取得した前記観測局に設定されている避難を促す基準値を超過している場合に、前記基準値を超過した前記観測データの取得元の観測局が設置されている基準値超過地域を含む地域毎の避難情報を含む配信情報を生成する配信情報生成ステップと、
前記配信情報を配信先に配信する配信ステップと、
を有する河川情報配信方法。
【請求項８】
前記配信情報生成ステップにおいて、前記基準値超過地域に前記配信情報が配信されている間に、前記基準値超過地域に設置されている他の観測局が同じ基準値を超過した場合には前記配信情報を生成しない、請求項７に記載の河川情報配信方法。
【請求項９】
前記配信情報生成ステップにおいて、前記基準値超過地域における水位予測を行い、上昇する見込みの水位と、前記基準値超過地域以外の地域に備えられる避難所の標高とに基づいて、推奨する避難所を選択し、選択した前記推奨する避難所の情報を含めて前記配信情報を生成する、請求項７に記載の河川情報配信方法。
【請求項１０】
前記配信情報生成ステップにおいて、前記基準値超過地域に設置されている全ての観測局で得られた観測データが避難解除を促す基準値を下回っている場合に、避難解除の旨を示す避難解除情報を含む配信情報を生成する、請求項７に記載の河川情報配信方法。
【請求項１１】
前記配信情報生成ステップにおいて生成された前記配信情報の配信先を選択させる選択情報と、前記配信情報とを含む画面データを生成し、生成した画面データを表示部に表示させる表示制御ステップをさらに有し、
前記配信ステップにおいて、配信指示がなされた場合に、選択された前記配信先に対して前記配信情報を配信する、請求項７に記載の河川情報配信方法。
【請求項１２】
前記表示制御ステップにおいて、前記配信情報の配信状態を前記地域毎に示す画面データを生成し、生成した画面データを表示部に表示させる、請求項１１に記載の河川情報配信方法。
【発明の詳細な説明】
【技術分野】
【０００１】
本発明の実施形態は、河川情報配信装置及び河川情報配信方法に関する。
【背景技術】
【０００２】
近年、台風や豪雨による大規模な洪水被害が多発する中で、河川の氾濫時における自治体から住民に対する迅速かつ正確・細部な避難情報の提供が求められている。現状では、対象の観測局に基準値が設定され、水位又は雨量が基準値を超過した場合に、基準値を超過した地域に関する避難情報が配信されている。しかしながら、現状の仕組みでは、観測局の数が限られているため、地域毎にきめ細かい住民の的確な避難行動を促すことができない場合があった。
【先行技術文献】
【特許文献】
【０００３】
【特許文献１】特開２０１７−２１９９６３号公報
【特許文献２】特開２００７−１９９８５１号公報
【特許文献３】特開２００４−１９７５５４号公報
【発明の概要】
【発明が解決しようとする課題】
【０００４】
本発明が解決しようとする課題は、地域毎にきめ細かく住民の的確な避難行動を促すことができる情報を配信することができる河川情報配信装置及び河川情報配信方法を提供することである。
【課題を解決するための手段】
【０００５】
実施形態の河川情報配信装置は、観測データ受信部と、配信情報生成部と、配信部とを持つ。観測データ受信部は、各地域に設置されている観測局で得られた河川に関する観測データを受信する。配信情報生成部は、受信された前記観測データが、前記観測データを取得した前記観測局に設定されている避難を促す基準値を超過している場合に、前記基準値を超過した前記観測データの取得元の観測局が設置されている基準値超過地域を含む地域毎の避難情報を含む配信情報を生成する。配信部は、前記配信情報を配信先に配信する。
【図面の簡単な説明】
【０００６】
【図１】実施形態の河川情報配信システムのシステム構成を示す図。
【図２】実施形態における河川情報配信装置の機能構成を表す概略ブロック図。
【図３】実施形態における河川情報配信装置の基準値の設定処理の流れを示すフローチャート。
【図４】実施形態における基準値設定画面の一例を示す図。
【図５】実施形態における河川情報配信装置による観測データに基づく住民等への情報配信を促すまでの処理の流れを示すフローチャート。
【図６】実施形態における河川情報配信装置による観測データに基づく住民等への情報配信を促すまでの処理の流れを示すフローチャート。
【図７】実施形態における管理者通信装置で受信されたメールの一例を示す図。
【図８】表示部２７に表示されるポップアップ画面の一例を示す図。
【図９】実施形態における河川情報配信装置による配信処理の流れを示すフローチャート。
【図１０】実施形態における河川情報配信装置によるデータ閲覧処理の流れを示すフローチャート。
【図１１】実施形態における地域確認画面の一例を示す図。
【図１２】実施形態における地図表示画面の一例を示す図。
【図１３】実施形態における一覧表示画面の一例を示す図。
【発明を実施するための形態】
【０００７】
以下、実施形態の河川情報配信装置及び河川情報配信方法を、図面を参照して説明する。
図１は、実施形態の河川情報配信システム１００のシステム構成を示す図である。河川情報配信システム１００は、テレメータ観測装置１０、河川情報配信装置２０、管理者通信装置３０、Ｗｅｂサーバ４０メール配信サーバ５０及び外部提供装置５５を備える。河川情報配信装置２０、管理者通信装置３０、Ｗｅｂサーバ４０、メール配信サーバ５０及び外部提供装置５５は、ネットワーク６０を介して通信可能に接続される。ネットワーク６０は、例えば、インターネットである。
【０００８】
テレメータ観測装置１０は、水位センサ及び雨量センサを備え、定期的に、自装置が設置された地点における河川水位や雨量等の観測データを収集する装置である。テレメータ観測装置１０は、収集した観測データを加工（情報処理）して河川情報配信装置２０に送信する。テレメータ観測装置１０は、例えば、雨量観測局及び水位観測局である。
【０００９】
河川情報配信装置２０は、テレメータ観測装置１０から送信される観測データを収集、演算し、観測データに基づく配信情報を配信する装置である。配信情報には、避難情報又は避難解除情報のいずれかの情報が含まれる。避難情報とは、住民に対して避難を促すための情報である。避難解除情報とは、住民に対して避難が必要なくなったことを通知するための情報である。
【００１０】
管理者通信装置３０は、市町村役所（役場）等に設置され、河川情報配信装置２０に対して配信情報の配信指示を行う装置である。管理者通信装置３０は、パーソナルコンピュータ等の情報処理装置を用いて構成される。管理者通信装置３０は、自治体の職員によって操作される。
【００１１】
Ｗｅｂサーバ４０は、河川情報配信装置２０から配信された配信情報を一般ユーザ向けに、データ表示を行う装置である。Ｗｅｂサーバ４０は、例えばソーシャルネットワークサービス等で配信情報を表示する。
メール配信サーバ５０は、河川情報配信装置２０から配信された配信情報を河川管理者（職員等）、水防関係者、地域住民等にメール配信する装置である。
外部提供装置５５は、Ｊアラートを受信する装置である。外部提供装置５５は、Ｊアラートを受信すると、Ｊアラートの内容を含むＪアラート情報を河川情報配信装置２０に送信する。
【００１２】
図２は、実施形態における河川情報配信装置２０の機能構成を表す概略ブロック図である。河川情報配信装置２０は、バスで接続されたＣＰＵ（Central Processing Unit）やメモリや補助記憶装置などを備え、配信プログラムを実行する。河川情報配信装置２０は、観測データ受信部２１、演算部２２、記憶部２３、観測データ判定部２４、配信情報生成部２５、表示制御部２６、表示部２７、指示入力部２８及び配信部２９を備える装置として機能する。なお、河川情報配信装置２０の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。配信プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。配信プログラムは、電気通信回線を介して送信されてもよい。
【００１３】
観測データ受信部２１は、テレメータ観測装置１０から観測データを受信する機能部である。
演算部２２は、観測データ受信部２１によって受信された観測データに対して演算処理（例えば時間雨量・累加雨量の算出）を行う機能部である。
【００１４】
記憶部２３は、観測局情報２３１、観測データ２３２、基準値情報２３３、避難所情報２３４、地図情報２３５及び履歴情報２３６を記憶する機能部である。記憶部２３は、磁気ハードディスク装置や半導体記憶装置などの記憶装置を用いて構成される。
【００１５】
観測局情報２３１は、各地域に設置されている観測局に関する情報である。例えば、観測局情報２３１は、各地域に設置されている観測局の名称、観測局の設置場所（緯度、経度）及び観測局が設置されている地域である。
観測データ２３２は、演算部２２によって演算処理が施された観測局毎の観測データである。
【００１６】
基準値情報２３３は、各地域において避難準備、避難勧告、避難指示及び避難解除と判断するための基準となる基準値の情報である。基準値情報２３３には、各地域の観測局毎に避難準備、避難勧告、避難指示及び避難解除と判断するための基準となる基準値が含まれる。
避難所情報２３４は、避難所の候補となる場所に関する情報である。例えば、避難所情報２３４には、避難所の候補となる場所の名前、地域、避難所の候補となる場所の標高が含まれる。
【００１７】
地図情報２３５は、地域毎に区分けされた地図データである。
履歴情報２３６は、河川情報配信装置２０の処理履歴の情報である。
【００１８】
観測データ判定部２４は、記憶部２３に記憶されている情報に基づいて、配信情報の通知が必要であるか否かを判定する機能部である。
配信情報生成部２５は、配信情報の通知が必要であると判定された場合に配信情報を生成する機能部である。
【００１９】
表示制御部２６は、表示部２７に生成した画面データを提供する。する。例えば、表示制御部２６は、表示部２７に表示するための画面データを生成し、生成した画面データを表示部２７に提供する。
表示部２７は、表示制御部２６によって生成された画面データを表示する機能部である。表示部２７は、表示制御部２６より提供される画面データをＷｅｂ上に公開する。また、液晶ディスプレイ、有機ＥＬ（Electro Luminescence）ディスプレイ等の画像表示装置で表示することができる。表示部２７は、画像表示装置を河川情報配信装置２０に接続するためのインタフェースであってもよい。この場合、表示部２７は、河川情報配信装置２０を表示するための映像信号を生成し、自身に接続されている画像表示装置に映像信号を出力する。
【００２０】
指示入力部２８は、外部からの指示を河川情報配信装置２０に入力するための機能部である。例えば、指示入力部２８は、キーボード、ポインティングデバイス（マウス、タブレット等）、タッチパネル、ボタン等の既存の入力装置や外部装置との間で通信を行うための通信インタフェースである。また、提供する画面にて入力・登録された情報を読み取り、各判定処理を行う機能部である。
配信部２９は、配信情報を配信する旨の指示が入力された場合に、配信情報生成部２５によって生成された配信情報を指定された配信先に配信する機能部である。
【００２１】
図３は、実施形態における河川情報配信装置２０の基準値の設定処理の流れを示すフローチャートである。
ステップＳ１０１において、指示入力部２８は、指示に応じて基準値設定画面の表示指示を入力する。基準値設定画面は、地域毎の基準値を設定するための画面である。指示入力部２８は、基準値設定画面の表示指示の入力がなされると、基準値設定画面の表示指示の入力された旨を表示制御部２６に通知する。
【００２２】
ステップＳ１０２において、表示制御部２６は、基準値設定画面の表示指示が入力されると、基準値設定画面の画面データを生成し、生成した画面データを表示部２７に表示させる。なお、表示制御部２６は、記憶部２３に基準値情報２３３が記憶されている場合には、記憶部２３に記憶されている基準値情報２３３を取得し、取得した基準値情報２３３を含めた基準値設定画面の画面データを生成し、生成した画面データを表示部２７に表示させる。また、基準値設定画面の画面データが記憶部２３に記憶されている場合には、記憶部２３から基準値設定画面の画面データを取得し、取得した基準値設定画面の画面データを表示部２７に表示させてもよい。
【００２３】
図４は、実施形態における基準値設定画面の一例を示す図である。
図４に示すように、基準値設定画面には、地域選択ボタン６１、観測データ基準値設定選択ボタン６２、基準値入力領域６３及び緊急情報表示領域６４が表示される。地域選択ボタン６１は、基準値の設定を行う対象となる地域を選択するためのボタンである。図４では、選択対象の地域として、Ａ地域、Ｂ地域、Ｃ地域、Ｄ地域及びＥ地域が示されている。ユーザは、基準値の設定を行いたい地域に対応する地域選択ボタン６１を選択することによって、その地域の基準値を設定することができる。例えば、ユーザが“Ｂ地域”の基準値の設定を行いたい場合には、ユーザが“Ｂ地域”に対応する地域選択ボタン６１を選択することによって、“Ｂ地域”の基準値を設定することができる。
【００２４】
観測データ基準値設定選択ボタン６２は、基準値の設定を行う対象となる観測データを選択するためのボタンである。図４では、選択対象の観測データとして、時間雨量、累加雨量及び水位が示されている。ユーザは、基準値の設定を行いたい観測データに対応する観測データ基準値設定選択ボタン６２を選択することによって、その観測データの基準値を設定することができる。例えば、ユーザが“累加雨量”の基準値の設定を行いたい場合には、ユーザが“累加雨量”に対応する観測データ基準値設定選択ボタン６２を選択することによって、“累加雨量”の基準値を設定することができる。
【００２５】
基準値入力領域６３は、基準値を入力するための領域である。図４では、避難準備、避難勧告、避難指示及び解除水位の基準値が観測局毎に入力可能であることが示されている。ユーザは、観測局毎に、避難準備、避難勧告、避難指示及び解除水位の基準値をそれぞれ入力することによって、各観測局の基準値を設定することができる。以下の説明では、避難準備の基準値を避難準備基準値、避難勧告の基準値を避難勧告基準値、避難指示の基準値を避難指示基準値、解除水位の基準値を解除水位基準値と記載する。
【００２６】
緊急情報表示領域６４は、外部提供装置５５からＪアラート等の緊急情報が受信された場合に、受信された緊急情報が表示される領域である。Ｊアラートは、河川情報配信装置２０の不図示の受信部により受信される。
図４では、基準値設定画面において“Ａ地域”の“水位”に対する観測局毎の基準値を設定している例を示している。なお、基準値は、必ずしも全て設定される必要はない。
【００２７】
図３に戻って説明を続ける。
ステップＳ１０３において、指示入力部２８は、決定指示の入力がなされたか否かを判定する。例えば、指示入力部２８は、基準値設定画面における不図示の決定ボタンが選択された場合に決定指示の入力がなされたと判定する。決定指示の入力がなされていない場合（ステップＳ１０３−ＮＯ）、指示入力部２８は決定指示の入力がなされるまで待機する。一方、決定指示の入力がなされた場合（ステップＳ１０３−ＹＥＳ）、河川情報配信装置２０はステップＳ１０４の処理を行う。
【００２８】
ステップＳ１０４において、指示入力部２８は、基準値設定画面において入力された情報（例えば、各地域の各観測データの観測局毎の基準値）を取得し、取得した情報を基準値情報２３３として記憶部２３に記憶する。なお、記憶部２３に基準値情報２３３が既に記憶されている場合、指示入力部２８は新たに取得した情報を基準値情報２３３として記憶する。
【００２９】
図５及び図６は、実施形態における河川情報配信装置２０による、観測データに基づく住民等への情報配信を促すまでの処理の流れを示すフローチャートである。
図５のステップＳ２０１において、観測データ受信部２１は、観測データを受信する。観測データ受信部２１は、受信した観測データを演算部２２に出力する。
ステップＳ２０２において、演算部２２は、観測データ受信部２１から出力された観測データに対して演算処理を行う。演算部２２は、演算処理後の観測データを記憶部２３に記憶する。例えば、演算部２２は、各観測局で得られた観測データをそれぞれ記憶部２３に記憶する。
【００３０】
ステップＳ２０３において、観測データ判定部２４は、観測局毎の演算結果（観測データ）を記憶部２３から取得する。
ステップＳ２０４において、観測データ判定部２４は、任意の地域に設置されている観測局の基準値を基準値情報２３３から取得する。観測データ判定部２４は、任意の地域に設置されている観測局の避難準備基準値、避難勧告基準値、避難指示基準値及び解除水位基準値を基準値情報２３３から取得する。なお、観測データ判定部２４は、任意の地域に設置されている観測局に対して設定されていない基準値については取得しなくてよい。なお、任意の地域の観測局は、どのように選択されてもよい。例えば、ランダムに選択されてもよいし、予め設定された順番に選択してもよい。
【００３１】
ステップＳ２０５において、観測データ判定部２４は、任意の地域に設置されている観測局の基準値の１つを、前回までに他の観測局で基準値を超過しているか否かを判定する対象として選択する。
【００３２】
ステップＳ２０６において、観測データ判定部２４は、前回までに他の観測局においてステップＳ２０５で選択した基準値を超過しているか否かを判定する。具体的には、観測データ判定部２４は、ステップＳ２０４の処理で基準値の取得対象となった観測局が設置されている地域に位置する他の観測局のいずれかで前回までにステップＳ２０５において選択した基準値を超過しているか否かを判定する。
【００３３】
前回までに他の観測局においてステップＳ２０５で選択した基準値を超過している場合（ステップＳ２０６−ＹＥＳ）、観測データ判定部２４はステップＳ２０７の処理を実行する。一方、前回までに他の観測局においてステップＳ２０５で選択した基準値を超過していない場合（ステップＳ２０６−ＮＯ）、観測データ判定部２４はステップＳ２１４の処理を実行する。
【００３４】
ステップＳ２０７において、観測データ判定部２４は、選択した観測局から取得された観測データが解除水位基準値を下回っているか否かを判定する。選択した観測局から取得された観測データが解除水位基準値を下回っている場合、河川情報配信装置２０はステップＳ２０８の処理を行う。一方、解除水位基準値を下回っていない場合、河川情報配信装置２０は、観測局を避難情報解除対象とせず、基準値情報２３３に登録されている任意の地域に設置されている観測局の次の基準値について判定処理を行う。
【００３５】
ステップＳ２０８において、観測データ判定部２４は、選択した観測局を避難情報解除対象とする。その後、河川情報配信装置２０は、基準値情報２３３に登録されている任意の地域に設置されている観測局の基準値数分、且つ観測局情報２３１に登録されている観測局数分判定処理する。
【００３６】
図６のステップＳ２０９において、観測データ判定部２４は、任意の地域に設置されている観測局全てが避難情報解除対象であるか否かを判定する。任意の地域に設置されている観測局全てが避難情報解除対象である場合（ステップＳ２０９−ＹＥＳ）、河川情報配信装置２０はステップＳ２１０の処理を行う。一方、任意の地域に設置されている観測局の一部又は全てが避難情報解除対象ではない場合（ステップＳ２０９−ＮＯ）、避難情報解除は行わない。
【００３７】
ステップＳ２１０において、配信情報生成部２５は、避難解除情報を含む配信情報を生成する。配信情報生成部２５は、生成した配信情報を表示制御部２６に出力する。
ステップＳ２１１において、配信部２９は、予め設定されている管理者通信装置３０宛に解除水位基準値を下回ったことを示すメールを配信する。
【００３８】
ステップＳ２１２において、表示制御部２６は、配信部２９から出力された配信情報を含むポップアップ画面を生成し、生成したポップアップ画面を表示部２７に表示する。
ステップＳ２１３において、河川情報配信装置２０は、動作履歴を履歴情報２３６として記憶部２３に記憶する。
その後、図５のループ１へ戻り、次の地域についての基準値判定処理を行う。
【００３９】
図５に戻り、ステップＳ２０６において、ＮＯの場合は、ステップＳ２１４に遷移する。
ステップＳ２１４において、観測データ判定部２４は、選択した観測局から取得された観測データが基準値を超過しているか否かを判定する。選択した観測局から取得された観測データが基準値を超過している場合、観測データ判定部２４は基準値を超過した観測局がある旨を配信情報生成部２５に通知する。一方、選択した観測局から取得された観測データが基準値を超過していない場合、河川情報配信装置２０は、基準値情報２３３に登録されている任意の地域に設置されている観測局の基準値数分、且つ観測局情報２３１に登録されている観測局数分判定処理する。
【００４０】
ステップＳ２１５において、配信情報生成部２５は、基準値を超過した観測局が設置されている地域の情報を取得する。
ステップＳ２１６において、配信情報生成部２５は、基準値を超過した観測局が設置されている地域以外の近隣の避難所の情報を取得する。
【００４１】
ステップＳ２１７において、配信情報生成部２５は、水位予測を行うことによって、今後上昇する見込みの水位を算出する。
ステップＳ２１８において、配信情報生成部２５は、水位予測の結果得られた見込みの水位と、避難所の情報に含まれる避難所の標高、基準値を超過した観測局が設置されている地域に基づいて、避難所の候補の中から推奨する避難所を選択する。具体的には、配信情報生成部２５は、基準値を超過した観測局が設置されている地域から最も近く、かつ、避難所の情報に含まれる避難所の標高が見込みの水位よりも高い避難所を推奨する避難所に選択する。
【００４２】
ステップＳ２１９において、配信情報生成部２５は、基準値を超過した観測局と、選択した避難所の情報と、近隣の地域で発生している避難情報とを含む配信情報を生成する。配信情報生成部２５は、生成した配信情報を表示制御部２６に出力する。
ステップＳ２２０において、配信部２９は、予め設定されている管理者通信装置３０宛に図７に示すいずれかの情報を含むメールを配信する。
【００４３】
図７は、管理者通信装置３０で受信されたメールの一例を示す図である。
図７（Ａ）は避難準備にあたる基準値を超過した場合に配信部２９から配信され、管理者通信装置３０で受信されたメールである。図７（Ｂ）は避難勧告にあたる基準値を超過した場合に配信部２９から配信され、管理者通信装置３０で受信されたメールである。図７（Ｃ）は避難指示にあたる基準値を超過した場合に配信部２９から配信され、管理者通信装置３０で受信されたメールである。図７（Ｄ）は解除水位にあたる基準値を超過した場合に配信部２９から配信され、管理者通信装置３０で受信されたメールである。
【００４４】
図５に戻って説明を続ける。
ステップＳ２２１において、表示制御部２６は、配信部２９から出力された配信情報を含むポップアップ画面を生成し、生成したポップアップ画面を表示部２７に表示する。
【００４５】
図８は、表示部２７に表示されるポップアップ画面の一例を示す図である。なお、管理者通信装置３０において図７に示す画面のＵＲＬにアクセスした場合には、Ｗｅｂブラウザが起動し管理者通信装置３０にポップアップ画面が表示される。
図８に示すように、ポップアップ画面には、配信情報表示領域７１、配信先選択領域７２、配信ボタン７３及び“後で”ボタン７４が表示される。配信情報表示領域７１は、配信情報生成部２５によって生成された配信情報を表示するための領域である。図８では、配信情報表示領域７１には、“ａａａ観測局”において、“Ａ地域”の避難勧告にあたる基準値を超過したこと、基準値を超過した“Ａ地域”の住民に対する避難を促す情報及び推奨避難所の情報及び配信情報（避難情報）が配信されている他の地域に関する情報を含む配信情報が表示されている。ユーザは、ポップアップ画面において配信情報表示領域７１に表示されている配信情報の編集を行うことができる。
【００４６】
配信先選択領域７２は、配信情報の配信先を選択可能な領域である。図８では、配信先選択領域７２には、登録制メール、ソーシャルネットワークサービス、緊急速報メール及び防行政無線が配信先として表示されている。なお、配信先は、図８に示す例に限らず、その他の配信先があってもよい。ユーザは、配信先選択領域７２に表示されている配信先の候補の中から、配信情報を配信したい配信先を選択することができる。
【００４７】
配信ボタン７３は、配信情報表示領域７１に表示されている配信情報を配信するためのボタンである。
“後で”ボタン７４は、配信情報表示領域７１に表示されている配信情報の配信を行わず、図８に示すポップアップ画面のデータを保存するためのボタンである。ユーザによって“後で”ボタン７４が選択されると、表示制御部２６は図８に示すポップアップ画面のデータを記憶部２３に記憶する。
【００４８】
図５に戻って説明を続ける。
ステップＳ２２２において、河川情報配信装置２０は、動作履歴を履歴情報２３６として記憶部２３に記憶する。
【００４９】
図９は、実施形態における河川情報配信装置２０による配信処理の流れを示すフローチャートである。この配信処理は、住民等に対して、情報配信避難指示、勧告等の具体的な指示を行うための処理である。図９の説明では、図８に示すポップアップ画面が、表示部２７又は管理者通信装置３０の画面上に表示されているものとする。
図９において、ステップＳ３０１において、指示入力部２８は、指示入力がなされたか否かを判定する。指示入力がなされていない場合（ステップＳ３０１−ＮＯ）、河川情報配信装置２０は図９の処理を終了する。一方、指示入力がなされた場合（ステップＳ３０１−ＹＥＳ）、河川情報配信装置２０はステップＳ３０２の処理を行う。
【００５０】
ステップＳ３０２において、指示入力部２８は、配信の指示がなされたか否かを判定する。具体的には、指示入力部２８は、図８に示すポップアップ画面において配信ボタン７３が選択されたか否かに応じて配信の指示がなされたか否かを判定する。配信ボタン７３が選択された場合、指示入力部２８は配信の指示がなされたと判定する。一方、配信ボタン７３が選択されていな場合、指示入力部２８は配信の指示がなされていないと判定する。配信の指示がなされた場合（ステップＳ３０２−ＹＥＳ）、河川情報配信装置２０はステップＳ３０３の処理を行う。一方、配信の指示がなされていない場合（ステップＳ３０２−ＮＯ）、河川情報配信装置２０はステップＳ３０５の処理を行う。
【００５１】
ステップＳ３０３において、配信部２９は、配信情報生成部２５によって生成された配信情報を、図８において指定された配信先に配信する。すなわち、配信部２９は、ポップアップ画面において表示している配信情報を、図８において指定された配信先に配信する。
ステップＳ３０４において、配信部２９は、処理の履歴を履歴情報２３６に蓄積する。
【００５２】
ステップＳ３０５において、配信した情報が避難情報解除情報であるか否かを判定する。避難情報解除情報の場合（ステップＳ３０５−ＹＥＳ）、河川情報配信装置２０はステップＳ３０６において基準値超過情報のリセットを行う。基準値超過情報のリセットを行うことで、避難準備水位の基準値を次回超過するとＳ２１４のポップアップ処理や通知処理が行うことができる。避難情報解除情報以外の場合（ステップＳ３０５−ＮＯ）、基準値超過情報のリセット処理は行わない。
【００５３】
ステップＳ３０７において、指示入力部２８は、「後で」の指示がなされたか否かを判定する。具体的には、指示入力部２８は、図８に示すポップアップ画面において“後で”ボタン７４が選択されたか否かに応じて「後で」の指示がなされたか否かを判定する。“後で”ボタン７４が選択された場合、指示入力部２８は「後で」の指示がなされたと判定する。一方、“後で”ボタン７４が選択されていない場合、指示入力部２８は「後で」の指示がなされていないと判定する。「後で」の指示がなされた場合（ステップＳ３０７−ＹＥＳ）、河川情報配信装置２０はステップＳ３０８の処理を行う。一方、「後で」の指示がなされていない場合（ステップＳ３０７−ＮＯ）、河川情報配信装置２０は図９の処理を終了する。
【００５４】
ステップＳ３０８において、表示制御部２６は“後で”ボタン７４が選択された時点のポップアップ画面のデータを、対象となる観測局の情報に対応付けて観測局情報２３１として記憶部２３に記憶する。例えば、図８に示す例では、“Ａ地域”に設置されている“ａａａ観測局”に関する情報であるため、表示制御部２６は“Ａ地域”に設置されている“ａａａ観測局”の情報に対応付けて、“後で”ボタン７４が選択された時点のポップアップ画面のデータを、観測局情報２３１として記憶部２３に記憶する。
【００５５】
図１０は、実施形態における河川情報配信装置２０によるデータ閲覧処理の流れを示すフローチャートである。
ステップＳ４０１において、指示入力部２８は、データ閲覧に関する画面の表示指示を入力する。データ閲覧に関する画面の表示指示が入力されると、画面の表示指示が入力された旨を表示制御部２６に通知する。
【００５６】
ステップＳ４０２において、表示制御部２６は、指示入力部２８を介して入力された表示指示に基づいて表示部２７に表示させる画面を判定する。具体的には、表示制御部２６は、地域確認画面、地図表示画面及び一覧表示画面のいずれの画面の表示指示であるのかを判定する。
【００５７】
表示制御部２６は、地域確認画面の表示指示であると判定した場合（ステップＳ４０２−地域確認画面）、ステップＳ４０３の処理を実行する。表示制御部２６は、地図表示画面の表示指示であると判定した場合（ステップＳ４０２−地図表示画面）、ステップＳ４０４の処理を実行する。表示制御部２６は、一覧表示画面の表示指示であると判定した場合（ステップＳ４０２−一覧表示画面）、ステップＳ４０５の処理を実行する。
【００５８】
ステップＳ４０３において、表示制御部２６は、記憶部２３に記憶されている情報に基づいて地域確認画面を表示するための画面データを生成し、生成した画面データを表示部２７に表示する。地域確認画面とは、地域毎の配信情報の配信状態を示す画面である。
【００５９】
図１１は、実施形態における地域毎の発令状態を確認するための確認画面の一例を示す図である。
図１１に示すように、地域確認画面には、地域毎の配信情報の配信状態が示されている。例えば、図１１では、“Ａ地域”において避難準備に関する配信情報が配信されており、“Ｂ地域”において避難指示に関する配信情報が配信されていて、かつ、避難解除に関する配信情報の配信が必要であるが配信されておらず、“Ｃ地域”において避難準備に関する配信情報が配信されており、“Ｄ地域”において避難勧告に関する配信情報が配信されており、“Ｅ地域”において避難準備に関する配信情報の配信が必要であるが配信されておらず、“Ｅ地域”において避難準備に関する配信情報が配信されていることが示されている。
【００６０】
地域確認画面において、（発表未）や（解除未）の箇所が選択されると、表示制御部２６は観測局情報２３１を参照し、選択された地域における未配信の配信情報を含むポップアップ画面を表示部２７に表示する。より具体的には、図１１に示す地域確認画面において（発表未）の箇所が選択されると、表示制御部２６は観測局情報２３１を参照し、“Ｅ地域”における未配信の配信情報（未配信の避難準備に関する配信情報）を含むポップアップ画面を表示部２７に表示する。その後、ポップアップ画面において、配信ボタン７３が選択されると、配信部２９はポップアップ画面に表示されている配信情報を配信先に配信する。このように、地域確認画面では、避難準備、避難勧告及び避難指示の発表フェーズ毎の配信状態を可視化することができる。
【００６１】
図１０に戻って説明を続ける。
ステップＳ４０４において、表示制御部２６は、記憶部２３に記憶されている情報に基づいて地図表示画面を表示するための画面データを生成し、生成した画面データを表示部２７に表示する。地図表示画面とは、地域毎の配信情報の配信状態を地図上に表示した画面である。
【００６２】
図１２は、実施形態における地図表示画面の一例を示す図である。
図１２に示すように、地図表示画面には、地域毎の配信情報の配信状態が地図データの区分けされた地域毎に示されている。このように、地図表示画面では、地図による地域毎の配信情報の配信状態を可視化することができる。
【００６３】
図１０に戻って説明を続ける。
ステップＳ４０５において、表示制御部２６は、記憶部２３に記憶されている情報に基づいて一覧表示画面を表示するための画面データを生成し、生成した画面データを表示部２７に表示する。一覧表示画面とは、配信情報の配信履歴を時系列順に表示した画面である。
【００６４】
図１３は、一覧表示画面の一例を示す図である。
図１３に示すように、一覧表示画面には、配信情報の配信履歴を時系列順に示されている。このように、一覧表示画面では、配信順に配信情報の配信状態を可視化することができる。
【００６５】
以上のように構成された河川情報配信システム１００によれば、予め地域毎に設定された基準値に基づいて、基準値を水位又は雨量が超過した際に、地域毎の避難情報を含む配信情報を住民向けに配信する。そのため、地域毎にきめ細かく住民の的確な避難行動を促すことができる情報を配信することが可能になる。
【００６６】
また、河川情報配信システム１００では、基準値を超過している場合には、今後の水位予測を行い、上昇する見込みの水位、近隣避難所情報の標高及び基準値超過地域を踏まえて、最適な避難所を選択する。そして、河川情報配信システム１００では、選択した避難所の情報も配信情報に含めて住民向けに配信する。したがって、避難が必要な住民はどの地域の避難場所に移動すればいいのかを容易に把握することができる。
【００６７】
また、河川情報配信システム１００では、基準値を超過した観測局が設置されている地域において同じ基準値で既に配信情報が配信されている場合には、重複の配信となるため配信を行わない。そのため、住民に対して混乱を招くような配信情報の配信を避けることができる。
【００６８】
また、河川情報配信システム１００では、ポップアップ画面において配信情報の編集及び配信先の選択ができる。これにより、状況に応じて配信先を選択することができる。また、配信情報の編集を行うことができるため、不足している情報を追加することや誤記の訂正などを行うことができる。そのため、利便性を向上させることが可能になる。
【００６９】
以上説明した少なくともひとつの実施形態によれば、各地域に設置されている観測局で得られた河川に関する観測データを受信する観測データ受信部と、受信された観測データが、観測データを取得した観測局に設定されている避難を促す基準値を超過している場合に、基準値を超過した観測データの取得元の観測局が設置されている基準値超過地域を含む地域毎の避難情報を含む配信情報を生成する配信情報生成部と、配信情報を配信先に配信する配信部とを持つことにより、地域毎にきめ細かく住民の的確な避難行動を促すことができる情報を配信することができる。
【００７０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７１】
１０…テレメータ観測装置，２０…河川情報配信装置，３０…管理者通信装置，４０…Ｗｅｂサーバ，５０…メール配信サーバ，２１…観測データ受信部，２２…演算部，２３…記憶部，２４…観測データ判定部，２５…配信情報生成部，２６…表示制御部，２７…表示部，２８…指示入力部，２９…配信部
【図１】
2019211853.tif 000003
【図２】
2019211853.tif 000004
【図３】
2019211853.tif 000005
【図４】
2019211853.tif 000006
【図５】
2019211853.tif 000007
【図６】
2019211853.tif 000008
【図７】
2019211853.tif 000009
【図８】
2019211853.tif 000010
【図９】
2019211853.tif 000011
【図１０】
2019211853.tif 000012
【図１１】
2019211853.tif 000013
【図１２】
2019211853.tif 000014
【図１３】
2019211853.tif 000015